(57)【特許請求の範囲】
【請求項１】
陽極導電部及び陰極導電部を各種機器の基板側陽極導電部及び基板側陰極導電部に圧接した状態で実装される電気音響変換器において、
上記陽極導電部及び陰極導電部を軸心位置を含む放射方向の所定位置にそれぞれ配置し、
上記陽極導電部及び陰極導電部を同芯であって二重に配置した略リング状のコイルスプリングにより構成することにより周方向への方向性をなくしたことを特徴とする電気音響変換器。
【請求項２】
請求項１記載の電気音響変換器において、
上記コイルスプリングは円錐コイルスプリングにより形成されることを特徴とする電気音響変換器。
【請求項３】
請求項１記載の電気音響変換器において、
上記陽極導電部と陰極導電部のそれぞれのコイルスプリングの間隔が上記各種機器の基板方向に向けて大きくなるようにしたことを特徴とする電気音響変換器。
【発明の詳細な説明】
【０００１】
【発明が属する技術分野】
本発明は、サウンダー（ブザー）、マイクロフォン、スピーカー等の電気音響変換器に係り、特に、携帯電話等の各種機器の基板に対してこれを実装する場合に、別途用意されるシートやコネクタを使用することなく、周方向（回転方向）に対する方向性をなくして実装作業を容易にすることができるように工夫したものに関する。
【０００２】
【従来の技術】
電気音響変換器としてのサウンダーは、例えば、図２１に示すような構成になっている。まず、ケース３０１があり、このケース３０１は、天板部３０３と円筒部３０５とから構成されている。又、サウンダーのケース３０１の形状としては、図２２に示すような四角形のものもある。上記天板部３０３の中央位置には放音孔３０７が形成されている。上記ケース３０１内であって下部には、ベース３０９が配置されていると共に該ベース３０９の下面側には基板３１１が配置されている。これらベース３０９と基板３１１の中心位置には鉄心３１３が取り付けられている。これらベース３０９、鉄芯３１３によっていわゆる「ポールピース」を構成している。
【０００３】
上記ベース３０９上であって上記鉄心３１３の外周にはコイル３１５が巻回されている。又、上記コイル３１５の外周側であってケース３０１の円筒部３０５との間には、コイル３１５と間隔を存した状態でマグネット３１７が内装されている。
【０００４】
上記ケース３０１の円筒部３０５の上端部であって内周側には段付部３１９が形成されている。この段付部３１９上にダイヤフラム３２１が載置されている。このダイヤフラム３２１は、弾性板３２３と、この弾性板３２３の中心位置に固着された付加質量としての磁片３２５とから構成されている。
尚、上記コイル３１５の両端はベース３０９及び基板３１１を貫通して基板３１１の下面側に設けられた図示しない一対のリード端子に接続されている。
【０００５】
上記構成をなすサウンダーの場合には次のような作用をなす。すなわち、ダイヤフラム３２１はマグネット３１７に吸引された状態にあり、それによって、ある一定の極性を持った状態でセットされている。その状態で一対のリード端子を介してコイル３１５に電流を流すと、鉄心３１３が電磁石化される。その結果、その先端に磁界が発生する。その際、鉄心３１３に発生したコイル３１５による磁極と、ダイヤフラム３２１が有するマグネット３１７による磁極とが異なる極性のものである場合には、ダイヤフラム３２１は鉄心３１３に吸引される。
【０００６】
これに対して、鉄心３１３に発生したコイル３１５による磁極とが同じ極性のものである場合には、ダイヤフラム３２１は鉄心３１３に対して反発することになる。したがって、何れかの方向をもって電流を断続的に流すことにより、ダイヤフラム３２１は上記したような動作を繰り返すことになり、結局、ダイヤフラム３２１が所定の周波数で振動して音を発生することになる。
【０００７】
ところで、上記構成をなすサウンダーは、例えば、外部機器としての携帯電話のハウジング内であって基板３２７上に実装されることになる。その際、サウンダー側にシート３２９を取り付けて、基板３２７への実装に際して、周方向への方向性をなくすことが行われている。すなわち、図２２に示すように、基板３１１の下面側には陽極導電部３２９ａと陰極導電部３２９ｂが同芯状であってリング状に設けられている。
すなわち、シート３２９には多数の導通ピンが設けられていて、この導通ピンを介して陽極導電部３２９ａと陰極導電部３２９ｂが基板３２７と導通されることになる。
【０００８】
上記のようなシート３２９をサウンダーに取り付けることにより、携帯電話の基板３２７の陽極導電部及び陰極導電部に対しては、周方向に方向性をもたないことになる。したがって、サウンダーを周方向にどのような方向に回転・位置させて基板３２７上に実装しても、基板３２７側と確実に導通することになる。
因みに、基板３２７側の陽極導電部及び陰極導電部は、シート３２９側の陽極導電部３２９ａと陰極導電部３２９ｂに対応する所定の半径位置に配置されている。
【０００９】
尚、図２１中符号３３１はクッション材としてのガスケットを示している。すなわち、携帯電話のハウジング内の基板３２７上にサウンダーを実装する場合には、機器側基板３２７とハウジングとによって、サウンダーをはじめとする各種電子部品を挟持・固定する方法を採用している。そのため、上記のようなガスケット３３１を配置しているものである。
又、サウンダー側にシート３２９を取り付ける代わりに、携帯電話の基板３２７側に所定のコネクタを設置しておき、それによって、実装時の周方向への方向性をなくすことも考えられている。
【００１０】
【発明が解決しようとする課題】
上記従来の構成によると次のような問題があった。
すなわち、従来のサウンダーの場合には、サウンダー側において、実装時における周方向の方向性をなくすような構成にはなっておらず、別途用意されたシート３２９を取り付けたり、或いは、機器側基板３２７側にコネクタを取り付けておく等の処置が必要になってしまい、それだけ余計な部品を必要としてしまうと共に煩雑な作業を強いられてしまうという問題があった。
又、別途用意されるシート３２９やコネクタを使用する場合にはそれによって別の問題が発生してしまうことになる。すなわち、サウンダーの場合には、予めその音響特性を調整・設定された状態で出荷されるわけであるが、これが後付されるシート３２９やコネクタによって変動してしまうことがあり、それによって、所望の音響特性を提供できないことがあるという問題があった。
具体的には、サウンダーの裏面側にシート３２９やコネクタが設置されると、それによって、振動板背面側の共鳴空間が閉じられたり狭められたりすることが予想され、それによって、音響特性に変動を来してしまうものである。これに対しては、予めシート３２９やコネクタを考慮して音響特性を調整・設定することも考えられるが、使用されるシート３２９やコネクタには使用者側において様々な構成のものがあり、つまり、どのようなシート３２９やコネクタが使用されるかについてはこれを特定することは現実的ではなかった。
尚、この種の問題はサウンダーだけでなく、マイクロフォン、スピーカー等様々な電気音響変換器において共通した問題である。
【００１１】
本発明はこのような点に基づいてなされたものでその目的とするところは、音響特性の変動を来すことなく、外部機器の基板に対する実装時における周方向への方向性をなくした電気音響変換器を提供することにある。
【００１２】
【課題を解決するための手段】
上記目的を達成するべく本願発明の請求項１による電気音響変換器は、陽極導電部及び陰極導電部を各種機器の基板側陽極導電部及び基板側陰極導電部に圧接した状態で実装される電気音響変換器において、上記陽極導電部及び陰極導電部を軸心位置を含む放射方向の所定位置にそれぞれ配置し、上記陽極導電部及び陰極導電部を同芯であって二重に配置した略リング状のコイルスプリングにより構成することにより周方向への方向性をなくしたことを特徴とするものである。
又、請求項２による電気音響変換器は、請求項１記載の電気音響変換器において、上記コイルスプリングは円錐コイルスプリングにより形成されることを特徴とするものである。
又、請求項３による電気音響変換器は、請求項１記載の電気音響変換器において、上記陽極導電部と陰極導電部のそれぞれのコイルスプリングの間隔が上記各種機器の基板方向に向けて大きくなるようにしたことを特徴とするものである。
【００１３】
すなわち、本願発明による電気音響変換器の場合には、陽極導電部及び陰極導電部を軸心位置を含む放射方向の所定位置にそれぞれ配置し、上記陽極導電部及び陰極導電部を二重に配置された略リング状のコイルスプリングにより構成することにより周方向への方向性をなくしたものである。
この場合には、電気音響変換器が実装される各種機器の基板側の陽極導電部及び陰極導電部については必ずしも同芯であってリング状又は同芯であって略リング状に設ける必要はなく、少なくとも、所定の放射方向位置にそれぞれ配置されていればよい。
又、所望の圧接力を確実に得てより確実な接触状態を提供できる。
又、コイルスプリングを円錐コイルスプリングとすることが考えられる。
又、上記陽極導電部と陰極導電部の両方をコイルスプリングとし、且つ、同芯状に設けた場合において、それぞれのコイルスプリングの間隔が上記各種機器の基板方向に向けて大きくなるようにしたものであり、それによって、実装時の座屈に起因した陽極導電部と陰極導電部との接触ひいては短絡を確実に防止できる。
【００１４】
【発明の実施の形態】
以下、図１乃至図４を参照して本発明の第１の実施の形態を説明する。本実施の形態は本発明を電気音響変換器としてのサウンダーに適用したものであり、サウンダーは図１に示すような構成になっている。
まず、ケース１があり、このケース１は、天板部３と円筒部５とから構成されている。上記天板部３の中央位置には放音孔７が形成されている。上記ケース１内であって下部には、ベース９が配置されていると共に該ベース９の下面側には基板１１が配置されている。これらベース９と基板１１の中心位置には鉄心１３が取り付けられている。これらベース９、鉄芯１３によっていわゆる「ポールピース」を構成している。
【００１５】
上記ベース９上であって上記鉄心１３の外周にはコイル１５が巻回されている。又、上記コイル１５の外周側であってケース１の円筒部５との間には、コイル１５と間隔を存した状態でマグネット１７が内装されている。
【００１６】
上記ケース１の円筒部５の上端部であって内周側には段付部１９が形成されている。この段付部１９上にダイヤフラム２１が載置されている。このダイヤフラム２１は、弾性板２３と、この弾性板２３の中心位置に固着された付加質量としての磁片２５とから構成されている。
【００１７】
上記基板１１の裏面側には陽極導電部３１がリング状に設けられている。上記陽極導電部３１は、その横断面形状が略半円形状をなしていて、その先端部はケース１の円筒部５の下端より僅かな量だけ突出している。上記陽極導電部３１の内側には陰極導電部３３が同芯状であってリング状に設けられている。この陰極導電部３３も、その横断面形状が略半円形状をなしている。上記陽極導電部３１と陰極導電部３３を下面側からみると図２に示すような状態となる。
上記陽極導電部３１と陰極導電部３３は、例えば、半田を盛ることにより構成されるが、それ以外にも各種の導電性部材により成形して取り付けることが考えられる。
【００１８】
図２に示すように、上記基板１１の上記陽極導電部３１と陰極導電部３３の位置にはスルーホール３５、３７が設けられている。これらスルーホール３５、３７は基板１１の上面側から下面側にかけて貫通した状態で形成されている。そして、スルーホール３５、３７の上面側においては、既に説明したコイル１５の両端部が接続されていて、スルーホール３５、３７の下面側においては、上記陽極導電部３１と陰極導電部３３と接続されている。つまり、スルーホール３５、３７を介して、コイル１５の図示しない両コイル端と上記陽極導電部３１と陰極導電部３３とをそれぞれ接続しているものである。
【００１９】
上記構成をなすサウンダーの場合には次のような作用をなす。
すなわち、ダイヤフラム２１はマグネット１７に吸引された状態にあり、それによって、ある一定の極性を持った状態でセットされている。その状態で一対のリード端子を介してコイル１５に電流を流すと、鉄心１３が電磁石化される。その結果、その先端に磁界が発生する。その際、鉄心１３に発生したコイル１５による磁極と、ダイヤフラム２１が有するマグネット１７による磁極とが異なる極性のものである場合には、ダイヤフラム２１は鉄心１３に吸引される。
【００２０】
これに対して、鉄心１３に発生したコイル１５による磁極とが同じ極性のものである場合には、ダイヤフラム２１は鉄心１３に対して反発することになる。したがって、何れかの方向をもって電流を断続的に流すことにより、ダイヤフラム２１は上記したような動作を繰り返すことになり、結局、ダイヤフラム２１が所定の周波数で振動して音を発生することになる。
【００２１】
次に、サウンダーを、各種機器、例えば、携帯電話の基板４１上に実装する場合について説明する。まず、基板４１側においては、予め所定の位置に陽極導電部４３、陰極導電部４５が設けられている。これら陽極導電部４３、陰極導電部４５は、実装中心位置より所定の半径位置に設けられている。ここで所定の半径位置とは、サウンダー側の陽極導電部３１と陰極導電部３３に対応した所定の半径位置を意味している。
【００２２】
次に、そのような基板４１上にサウンダー実装するわけであるが、これはサウンダーを所定の実装位置に配置し、図示しない携帯電話側のハウジングと基板４１とによって挟持するような状態で実装・保持することになる。又、ハウジングとサウンダーとの間にはクッション材としてのガスケット４７が介挿されることになる。
【００２３】
ところで、本実施の形態の場合には、サウンダー側において、陽極導電部３１と陰極導電部３３が同芯であってリング状に設けられていて、周方向の方向性をなくした構成になっている。したがって、サウンダーを周方向のどの位置に回転・位置させて実装しても、サウンダー側の陽極導電部３１と基板４１側の陽極導電部４３が確実に接触し、サウンダー側の陰極導電部３３と基板４１側の陰極導電部４５が確実に接触することになる。
但し、サウンダーの軸心位置と基板４１側の実装位置の中心位置とは合わせる必要があり、これは、例えば、基板４１或いはハウジング側に位置を規制する部材を突設しておくことにより実現できる。
【００２４】
以上本実施の形態によると次のような効果を奏することができる。
まず、サウンダー側において、陽極導電部３１と陰極導電部３３を同芯状であってリング状に配置して、周方向への方向性をなくした状態としたので、これを、例えば、携帯電話の基板４１上に実装する場合においても、その実装作業が容易になる。つまり、サウンダーを周方向のどの位置に回転・位置させて実装しても、サウンダー側の陽極導電部３１と基板４１側の陽極導電部４３を確実に接触させ、且つ、サウンダー側の陰極導電部３３と基板４１側の陰極導電部４５を確実に接触させることができるからである。
その際、従来のように、別途用意されたシートやコネクタを必要とすることもない。これは単に部品点数の削減効果や実装作業の容易化だけでなく、サウンダーの音響特性の不用意な変動をなくす上でも効果的である。すなわち、通常、サウンダーは出荷時に所定の音響特性を備えた状態で調整・設定されている。ところが、実装時に別途用意されたシートやコネクタが取り付けられると、それによって、振動板背面側の共鳴空間が閉じられたり或いは狭められたりして音響特性が変動してしまうことになる。本実施の形態の場合にはそのようなことはなく当初の音響特性をそのまま保持することができるものである。
【００２５】
尚、図１及び図２では、サウンダーのケース１を円筒状とし、且つ、陽極導電部３１と陰極導電部３３を同芯状であってリング状に設けた例を示したが、図３に示すように、ケース１を四角形に設ける場合もあり、又、図４に示すように、ケース１のみならず、陽極導電部３１と陰極導電部３３をも同芯状であって略リング状（この場合には四角形）に設ける場合もある。
【００２６】
次に、図５乃至図７を参照して本発明の第２の実施の形態を説明する。この場合には、まず、サウンダー側の陽極導電部３１と陰極導電部３３の形状を変えている。すなわち、陽極導電部３１と陰極導電部３３の横断面形状を縦長の長方形としている。又、ケース１の円筒部５の下端からの突出量をより大きくしている。
その他の構成は前記第１の実施の形態の場合と同様であり、同一部分には同一符号を付して示しその説明は省略する。
【００２７】
したがって、前記第１の実施の形態の場合と同様の効果を奏することができると共に、陽極導電部３１と陰極導電部３３の形状を変えて突出量を大きくしたことにより、基板４１の陽極導電部４３と陰極導電部４５に対する接触をより確実なものとすることができる。
尚、この場合にも、図７に示すように、ケース１を四角形にする場合もあれば、図示しないが、陽極導電部３１と陰極導電部３３を同芯状であって略リング状（例えば、四角形）に設ける場合もある。
【００２８】
次に、図８乃至図１０を参照して本発明の第３の実施の形態を説明する。この場合には、前記第２の実施の形態におけるサウンダー側の陰極導電部３３をコイルスプリング５１としたものである。
その他の構成は前記第２の実施の形態の場合と同様であり、同一部分には同一符号を付して示しその説明は省略する。
したがって、前記第２の実施の形態と同様の作用・効果を奏することができると共に、コイルスプリング５１の採用により基板４１側の導電部への接触をより確実なものとすることができる。
尚、この場合にも、図１０に示すように、ケース１を四角形にする場合もある。
【００２９】
次に、図１１乃至図１３を参照して本発明の第４の実施の形態を説明する。この場合には前記第３の実施の形態において、陽極導電部３１をもコイルスプリング５３としたものである。又、ここでは、基板１１をいわゆる片面基板としている。すなわち、前記第１〜第３の実施の形態の場合には、基板１１をスルーホールを使用したいわゆる「両面基板」として構成・使用している。これに対して、この第４の実施の形態の場合には、これを片面基板としているものである。
【００３０】
具体的には、コイルスプリング５１の端部５１ａを基板１１の上側に貫通・配置させ、そこでコイル１５のコイル端１５ａと接続している。同様に、コイルスプリング５３の端部５３ａについても基板１１の上側に貫通・配置させ、そこで、コイル１５のコイル端１５ｂと接続している。そのような構成とすることにより、基板１１をスルーホールを使用しない片面基板とすることができるものである。
その他の構成は前記第３の実施の形態の場合と同様であり、同一部分には同一符号を付して示しその説明は省略する。
したがって、前記第３の実施の形態と同様の作用・効果を奏することができると共に、コイルスプリングの採用により基板４１側の導電部への接触をさらに確実なものとすることができると共に、基板１１を「片面基板」として基板１１の構成を簡略化させると共にこコストの低減を図ることができる。
又、この場合にも、図１３に示すように、ケース１を四角形にする場合もある。
尚、前記第１及び第２の実施の形態及びこの第３の実施の形態において、両極導電部側にコイル１５の両端末を引き出して半田付けすることにより基板１１を片面基板とすることが考えられる。
【００３１】
次に、図１４乃至図１６を参照して本発明の第５の実施の形態を説明する。この場合には、サウンダー側において、中心位置に陽極導電部としてのコイルスプリング７１を配置し、中心から所定半径距離の位置に陰極導電部としてのコイルスプリング７３を配置している。
一方、図１６に示すように、基板４１側においては、陽極導電部７５と陰極導電部７７を、同芯状であってリング状に配置している。
その他の構成は前記各実施の形態の場合と同様であり、同一部分には同一符号を付して示しその説明は省略する。
【００３２】
この実施の形態の場合には、携帯電話の基板４１側において、陽極導電部７５と陰極導電部７７を同芯状であってリング状に配置することにより周方向への方向性をなくしたものであり、サウンダー側においては、携帯電話の基板４１側における陽極導電部７５に対応するように中心位置にコイルスプリング７１を配置し、又、陰極導電部７７に対応するように、中心から所定距離の位置に陰極導電部としてのコイルスプリング７３をそれぞれ配置しているものである。
このような構成においても同様の効果、すなわち、別途、シートやコネクタを使用することなく、実装時における周方向への方向性をなくすことができ、且つ、サウンダー側の音響特性の不用意な変動を防止するという効果を奏することができる。
【００３３】
次に、図１７乃至図１９を参照して本発明の第６の実施の形態を説明する。前記第１〜第５の実施の形態の場合には、電気音響変換器としてサウンダーを例に挙げて説明したが、この第６の実施の形態の場合には、電気音響変換器としてマイクロフォンを例に挙げて説明するものである。
マイクロフォンは次のような構成になっている。図１７に示すように、まず、ゴムブッシュ８１があり、このゴムブッシュ８１は上端開口部８１ａと下端開口部８１ｂを備えている。上記ゴムブッシュ８１内にはケース８２が内装されている。このケース８２も上端開口部８２ａと下端開口部８２ｂを備えている。
【００３４】
上記ケース８２内には基板９１が収容・配置されていて、この基板９１上にはインピーダンス変換素子９３等の電子部品が実装されている。上記基板９１上であってケース８２の内周側には、支持リング８４が内装されていて、この支持リング８４の内周側には導通リング８９が内装されている。又、上記支持リング８４の上端部には段付部８４ａが設けられていて、この段付部８４ａ上には背電極８７が設置されている。又、この背電極８７上には振動板８３が振動板リング８５によって挟持された状態で設置されている。これら振動板８３と背電極８７間でコンデンサを構成している。又、上記基板９１の下面側には陽極接続端子９７と陰極接続端子９５が設置されている。
【００３５】
上記振動板リング８５には厚さ数μｍの金属蒸着膜付樹脂フィルムが接着されている。又、上記背電極８７は振動板８３に対して数十μｍの隙間を存しており、その振動板８３側の面にはテフロン等からなるエレクトレットが密着した状態で設置されていて、数百Ｖ程度に帯電されるようになっている。又、背電極８７は導通リング８９を介して基板９１に接続されていて、基板９１のパターン上で既に説明したインピーダンス変換素子９３に接続されている。
【００３６】
一方、このようなマイクロフォンが実装される機器の基板側であるが、これは前記第５の実施の形態で使用した図１６に示す構成と同じような構成になっている。すなわち、基板４１側において、陽極導電部７５と陰極導電部７７を同芯状であってリング状に配置されていて、それによって、周方向への方向性をなくすようにしている。したがって、上記陽極接続端子９７と陰極接続端子９５は、図１７に示すように、その接点を上記基板４１側の陽極導電部７５と陰極導電部７７に対応する所定の半径位置に位置させておけばよく、それによって、実装時にマイクロフォンを周方向のどの位置に回転・位置させても、陽極接続端子９７と陰極接続端子９５を陽極導電部７５と陰極導電部７７に確実に接触させた状態で実装できるものである。
【００３７】
尚、マイクロフォンの回路構成は図１９に示すようになっている。図中符号１０１はノイズ対策用のコンデンサを示し、符号１０３は機器側の回路を示していると共に、該機器側の回路にはコンデンサ１０５、電源１０７、抵抗１０９が設置されている。ここに示されているマイクロフォンは振動板８３の音響振動をコンデンサ１０１の容量変化として取り出すタイプのものである。
【００３８】
このような構成をなすマイクロフォンにおいても同様の効果、すなわち、別途、シートやコネクタを使用することなく、実装時における周方向への方向性をなくすことができ、且つ、マイクロフォン側の音響特性の不用意な変動を防止するという効果を奏することができる。
【００３９】
次に、図２０を参照して本発明の第７の実施の形態を説明する。この実施の形態の場合には、前記第６の実施の形態における陽極接続端子９７の代わりにコイルスプリング１１３を配置し、陰極接続端子９５の代わりにコイルスプリング１１１を配置したものである。これらコイルスプリング１１１とコイルスプリング１１３は同芯状であってリング状に配置されているものである。又、上記コイルスプリング１１１は各種機器の基板４１側に向けてその径を徐々に大きくするように構成されていて、一方、上記コイルスプリング１１３は各種機器の基板４１側に向けてその径を徐々に小さくするように構成されている。つまり、コイルスプリング１１１とコイルスプリング１１３の間隔が基板４１方向に向かって徐々に大きくなるように設定されているものである。これは、実装時におけるコイルスプリング１１１とコイルスプリング１１３の座屈によって、コイルスプリング１１１とコイルスプリング１１３同士が不用意に接触して短絡してしまうことを防止するためである。
【００４０】
したがって、前記各実施の形態の場合と同様の効果、すなわち、別途、シートやコネクタを使用することなく、実装時における周方向への方向性をなくすことができ、且つ、マイクロフォン側の音響特性の不用意な変動を防止するという効果を奏することができると共に、実装時におけるコイルスプリング１１１とコイルスプリング１１３同士の接触に起因した短絡の発生を防止することができる。尚、コイルスプリング１１１、コイルスプリング１１３の何れか一方をストレートな構造とする構成も考えられ、又、コイルスプリング１１１、コイルスプリング１１３を同方向の円錐コイルスプリングとして各種機器側基板に向かってその間隔が大きくなるように設定する場合も考えられる。
【００４１】
尚、本発明は前記第１〜第７の実施の形態に限定されるものではない。
まず、前記第１〜第７の実施の形態においては、電気音響変換器としてサウンダー（ブザー）、マイクロフォンを例に挙げて説明したが、スピーカーにおいても同様に適用可能であり、要は広く電気音響変換器に対して適用できるものである。
又、電気音響変換器側の陽極導電部と陰極導電部としてコイルスプリングを採用する場合において、陽極導電部のみをコイルスプリングとする場合、陰極導電部のみをコイルスプリングとする場合、両方をコイルスプリングとする場合がある。
【００４２】
【発明の効果】
以上詳述したように本発明による電気音響変換器によると、別途、シートやコネクタを要することなく周方向への方向性をなくし、実装作業の容易化を図ることができると共に、別途、シートやコネクタを使用する場合のように、音響特性が不用意に変動してしまうことを防止することができる。
その際、陽極導電部及び又は陰極導電部をコイルスプリングとしているので、各種機器の基板側に対してより確実に接触させることができる。
又、陽極導電部と陰極導電部の両方をコイルスプリングとし、且つ、同芯状に配置した場合において、それぞれのコイルスプリングの間隔が上記各種機器の基板方向に向けて大きくなるようにした場合には、実装時の座屈に起因した不用意な接触・短絡を防止することができる。
【図面の簡単な説明】
【図１】本発明の第１の実施の形態を示す図で、電気音響変換器としてのサウンダーの構成を示す半裁断面図である。
【図２】本発明の第１の実施の形態を示す図で、電気音響変換器としてのサウンダーの底面図である。
【図３】本発明の第１の実施の形態を示す図で、電気音響変換器としてのサウンダーの底面図である。
【図４】本発明の第１の実施の形態を示す図で、電気音響変換器としてのサウンダーの底面図である。
【図５】本発明の第２の実施の形態を示す図で、電気音響変換器としてのサウンダーの構成を示す半裁断面図である。
【図６】本発明の第２の実施の形態を示す図で、電気音響変換器としてのサウンダーの底面図である。
【図７】本発明の第２の実施の形態を示す図で、電気音響変換器としてのサウンダーの底面図である。
【図８】本発明の第３の実施の形態を示す図で、電気音響変換器としてのサウンダーの半裁断面図である。
【図９】本発明の第３の実施の形態を示す図で、電気音響変換器としてのサウンダーの底面図である。
【図１０】本発明の第３の実施の形態を示す図で、電気音響変換器としてのサウンダーの底面図である。
【図１１】本発明の第４の実施の形態を示す図で、電気音響変換器としてのサウンダーの断面図である。
【図１２】本発明の第４の実施の形態を示す図で、電気音響変換器としてのサウンダーの底面図である。
【図１３】本発明の第４の実施の形態を示す図で、電気音響変換器としてのサウンダーの底面図である。
【図１４】本発明の第４の実施の形態を示す図で、電気音響変換器としてのサウンダーの半裁断面図である。
【図１５】本発明の第５の実施の形態を示す図で、電気音響変換器としてのサウンダーの底面図である。
【図１６】本発明の第５の実施の形態を示す図で、携帯電話側の基板の一部平面図である。
【図１７】本発明の第６の実施の形態を示す図で、電気音響変換器としてのマイクロフォンの断面図である。
【図１８】本発明の第６の実施の形態を示す図で、電気音響変換器としてのマイクロフォンの底面図である。
【図１９】本発明の第６の実施の形態を示す図で、電気音響変換器としてのマイクロフォンの回路構成を示す図である。
【図２０】本発明の第７の実施の形態を示す図で、電気音響変換器としてのマイクロフォンの断面図である。
【図２１】従来例を示す図で、電気音響変換器としてのサウンダーの半裁断面図である。
【図２２】従来例を示す図で、電気音響変換器としてのサウンダーの底面図である。
【図２３】従来例を示す図で、電気音響変換器としてのサウンダーの底面図である。
【符号の説明】
３１  電気音響変換器側の陽極導電部
３３  電気音響変換器側の陰極導電部
４１  各種機器の基板
４３  各種機器の基板側の陽極導電部
４５  各種機器の基板側の陰極導電部
５１  電気音響変換器側の陰極導電部としてのコイルスプリング
５３  電気音響変換器側の陽極導電部としてのコイルスプリング
７１  電気音響変換器側の陽極導電部としてのコイルスプリング
７３  電気音響変換器側の陰極導電部としてのコイルスプリング
７５  各種機器の基板側の陽極導電部
７７  各種機器の基板側の陰極導電部
９５  電気音響変換器側の陰極導電部としての板ばね
９７  電気音響変換器側の陽極導電部としての板ばね
１１１  電気音響変換器側の陰極導電部としてのコイルスプリング
１１３  電気音響変換器側の陽極導電部としてのコイルスプリング
【図１】
0003660557.tif 000002
【図２】
0003660557.tif 000003
【図３】
0003660557.tif 000004
【図４】
0003660557.tif 000005
【図５】
0003660557.tif 000006
【図６】
0003660557.tif 000007
【図７】
0003660557.tif 000008
【図８】
0003660557.tif 000009
【図９】
0003660557.tif 000010
【図１０】
0003660557.tif 000011
【図１１】
0003660557.tif 000012
【図１２】
0003660557.tif 000013
【図１３】
0003660557.tif 000014
【図１４】
0003660557.tif 000015
【図１５】
0003660557.tif 000016
【図１６】
0003660557.tif 000017
【図１７】
0003660557.tif 000018
【図１８】
0003660557.tif 000019
【図１９】
0003660557.tif 000020
【図２０】
0003660557.tif 000021
【図２１】
0003660557.tif 000022
【図２２】
0003660557.tif 000023
【図２３】
0003660557.tif 000024